(57)【要約】  ３次元体積空間を作り出す視覚的表示ユニット。表示装置は、第１の焦点面内に第１のスクリーンであって、第１の画像を表示する、第１のスクリーンを含む。表示装置は、第１の焦点とは別個の第２の焦点面内に第２のスクリーンであって、第２の画像を表示し、第１のスクリーンを少なくとも部分的に覆う、第２のスクリーンを含む。表示装置は、第１のスクリーンと前記第２のスクリーンの間に配置された物理的対象物を含み、第１および第２の画像の少なくとも１つは、物理的対象物の配置に応答して表示される。【選択図】図１１Ａ
2017513044.tif 000002
【特許請求の範囲】
【請求項１】
第１の焦点面内の第１のスクリーンであって、第１の画像を表示する、第１のスクリーンと、
前記第１の焦点面とは別個の第２の焦点面内の第２のスクリーンであって、第２の画像を表示し、前記第１のスクリーンに少なくとも部分的に重なる、第２のスクリーンと、
前記第１のスクリーンと第２のスクリーンの間に配置された物理的対象物であって、前記第１および第２の画像の少なくとも一方が、前記物理的対象物の配置に応答して表示される、
視覚的表示ユニット。
【請求項２】
前記第１のスクリーンが、前記物理的対象物の移動に応答して前記第１の画像を表示するように構成可能である、請求項１に記載の視覚的表示ユニット。
【請求項３】
前記第２のスクリーンが、前記第１の画像の表示に応答して前記第２の画像を表示するように構成可能である、請求項２に記載の視覚的表示ユニット。
【請求項４】
前記第２のスクリーンが、前記物理的対象物の移動に応答して前記第２の画像を表示するように構成可能である、請求項２に記載の視覚的表示ユニット。
【請求項５】
前記物理的対象物が、前記第１の画像および第２の画像の少なくとも一方に応答して移動するように構成可能である、請求項１に記載の視覚的表示ユニット。
【請求項６】
前記第１のスクリーンと前記第２のスクリーンの間に設けられ、前記前部スクリーンおよび前記物理的対象物に光をもたらすように構成された発光層をさらに備える、請求項１に記載の視覚的表示ユニット。
【請求項７】
前記物理的対象物が、不透明である、請求項１に記載の視覚的表示ユニット。
【請求項８】
前記物理的対象物が、透過型である、請求項１に記載の視覚的表示ユニット。
【請求項９】
前記物理的対象物が、金属球を含む、請求項１に記載の視覚的表示ユニット。
【請求項１０】
前記物理的対象物が、アナログ針を備える、請求項１に記載の視覚的表示ユニット。
【請求項１１】
前記第１の焦点面が、最前面を含む、請求項１に記載の視覚的表示ユニット。
【請求項１２】
前記第１のスクリーンが、透過型表示部を備え、前記第２のスクリーンが不透明表示部を備える、請求項１１に記載の視覚的表示ユニット。
【請求項１３】
視覚的表示ユニットを適応させるための方法であって、
第１のスクリーンを第１の焦点面内に提供するステップであって、前記第１のスクリーンは、第１の画像を表示する、ステップと、
第２のスクリーンを、前記第１の焦点面とは別個の第２の焦点面内に提供するステップであって、前記第２のスクリーンは、第２の画像を表示し、前記第２のスクリーンは、前記第１のスクリーンに少なくとも部分的に重なる、ステップと
前記第１のスクリーンと前記第２のスクリーンの間に配置された物理的対象物を提供するステップであって、前記第１および第２の画像の少なくとも一方は、前記物理的対象物に関連して表示される、ステップと
を含む、方法。
【請求項１４】
前記物理的対象物の移動に応答して前記第１の画像を前記第１のスクリーン上に表示するステップをさらに含む、請求項１３に記載の方法。
【請求項１５】
前記第１の画像の表示に応答して前記第２の画像を前記第２のスクリーン上に表示するステップをさらに含む、請求項１４に記載の方法。
【請求項１６】
前記物理的対象物の移動に応答して前記第２の画像を前記第２のスクリーン上に表示するステップ
をさらに含む、請求項１４に記載の方法。
【請求項１７】
前記第１の画像および第２の画像の少なくとも一方に応答して前記物理的対象物を移動させるステップ
をさらに含む、請求項１３に記載の方法。
【請求項１８】
前記第１のスクリーンと前記第２のスクリーンの間に設けられ、前記前部スクリーンおよび前記物理的対象物に光をもたらすように構成された発光層を提供するステップ
をさらに含む、請求項１３に記載の方法。
【請求項１９】
視覚的表示ユニットを適応させるための方法であって、
第１のスクリーンを第１の焦点面内に提供するステップであって、前記第１のスクリーンは、第１の画像を表示する、ステップと、
第２のスクリーンを、前記第１の焦点面とは別個の第２の焦点面内に提供するステップであって、前記第２のスクリーンは、第２の画像を表示し、前記第２のスクリーンは、前記第１のスクリーンに少なくとも部分的に重なる、ステップと、
前記第１の画像および前記第２の画像を関連付けることによって３Ｄ体積空間を作り出すステップと、
物理的対象物を前記３Ｄ体積空間周りに挿入するステップであって、前記第１および第２の画像の少なくとも一方が、前記物理的対象物に関連して表示される、ステップと
を含む、方法。
【請求項２０】
前記物理的対象物を提供するステップは、
前記第１および第２の画像の少なくとも一方を、前記物理的対象物と相互作用するように表示するステップ
をさらに含む、請求項１９に記載の方法。
【請求項２１】
前記物理的対象物を提供するステップは、
をさらに含む、請求項１９に記載の方法。
【請求項２２】
前記第１の画像の一部を奥行きの手がかりとして提供するステップと、
一定期間後、前記第１の画像の前記一部を除去するステップと
をさらに含む、請求項１９に記載の方法。
【請求項２３】
前記第１の焦点面が、最前面を含み、前記第１のスクリーンが、透過型表示部を備え、前記第２のスクリーンが、不透明な表示部を備える、請求項１９に記載の方法。
【発明の詳細な説明】
【技術分野】
【０００１】
関連出願の相互参照
[001]本特許出願は、２００１年１０月１１日出願の、ニュージーランド特許出願第５１４５００号に対する優先権を主張する、２００２年１０月１１日の国際出願日を有する、国際出願第ＰＣＴ／ＮＺ０２／０２１３号に対する優先権および利益を主張し、これらいずれの文献も、参照によって全体的に本明細書に組み込まれる。さらに、本出願は、２００４年１０月２０日が出願日の表題「ＶＩＲＴＵＡＬ  ＤＩＳＰＬＡＹ  ＵＮＩＴ  ＩＬＬＵＭＩＮＡＴＩＯＮ」である、米国特許出願第１０／４９２，６２４号の継続出願であり、またそれに対する優先権および利益を主張し、この文献は、参照によって全体的に本明細書に組み込まれ、上記で参照した国際出願第ＰＣＴ／ＮＺ２００２／００２１３号およびニュージーランド特許出願第５１４５００号に対する優先権および利益を主張するものである。また、本出願は、２０１２年４月３日が出願日の、表題「ＶＩＲＴＵＡＬ  ＤＩＳＰＬＡＹ  ＵＮＩＴ  ＩＬＬＵＭＩＮＡＴＩＯＮ」である、米国特許出願第１３／４３８，８３３号の一部継続出願であり、また、それに対する優先権および利益を主張し、この文献は、参照によって全体的に本明細書に組み込まれ、上記で参照した米国特許出願第１０／４９２，６２４号に対する優先権および利益を主張するものである。さらに、本出願は、２０１４年２月２７日が出願日の、表題「ＤＩＳＰＬＡＹ  ＩＮＴＥＲＰＯＳＩＮＧ  Ａ  ＰＨＹＳＩＣＡＬ  ＯＢＪＥＣＴ  ＷＩＴＨＩＮ  Ａ  ＴＨＲＥＥ−ＤＩＭＥＮＳＩＯＮＡＬ  ＶＯＬＵＭＥＴＲＩＣ  ＳＰＡＣＥ」である、米国特許出願第１４／１９２，６１９号に対する優先権および利益を主張するものであり、この文献は、参照によって全体的に本明細書に組み込まれる。
【０００２】
[002]本発明は、視覚的表示ユニットを照明するための手段に関し、詳細には携帯情報端末（ＰＤＡ）として知られているジャンルを含む携帯型コンピューティング手段に関する。
【背景技術】
【０００３】
[003]コンピューティングにおける技術的改良の絶え間ない変遷は、否応なしに、小容量化しつつもより高性能なコンピュータへと導いている。これは、近年、パーソナルコンピュータ（ＰＣ）、すなわちディスクトップ、ラップトップ、およびノートブックコンピュータの継続的な小型化の実現を招いている。物理的寸法が先行型に比べて低減されているにもかかわらず、各々は、データ入力のその主な手段として従来のキーボードを保持している。
【０００４】
[004]しかし、さらにより小型化のパーソナルコンピューティング装置、すなわちパームトップまたは携帯情報端末（ＰＤＡ）の出現は、フルサイズのキーボードの使用を無くしている。さらに、そのような装置の表示領域は、その小さいサイズによって同様に制限される。ＰＤＡは、通常、ユーザの手のサイズであり、入力作動が複雑になりすぎず、十分な空間がデータ表示に利用できるようにユーザインターフェースを設計することを必要とする。この要因は、しばしば、携帯電話、時計、計算機、データロガーなどの他の移動式コンピューティング手段のホストにもあてはまり、したがって、これらの装置は、参照によって本明細書に含まれる。
【０００５】
[005]これらの空間の制約は、データエントリおよびデータ表示の両方の機能を組み合わせる手段としてタッチスクリーンを組み込むことを導いた。半透過型液晶表示装置には、透過型タッチスクリーンが重ねられ、この透過型タッチスクリーンは、その上に押し付けられたスタイラス点の位置を検出することができる。スタイラスは、命令をオペレーティングシステムに発し、手書きのデータを入力するために、さまざまなアイコンおよび／またはメニューを選択するために使用され得る。よく使用されているスプレッドシート、ワードプロセッシング、および構成的プログラムの最新式のバージョンは、ＰＤＡハードウェアの制約内での使用に合わせて設計された他の特有のアプリケーションに加えてＰＤＡで利用可能になる。
【０００６】
[006]従来のＰＣに存在するシステムのほとんどは、ＰＤＡ内に存在する。これらは、揮発性／動的および恒久的な情報記憶装置またはメモリ、ならびにロジック処理装置を含む。ＰＣとは対照的に、ＰＤＡのオペレーティングシステムは、通常、専有的であり、搭載されたＲＯＭに記憶される。ユーザが読み込むその後のアプリケーションは、ＰＣにおいて通常用いられる回転式記憶媒体（磁気的または光学的）ではなく固体「フラッシュメモリ」内に記憶される。
【０００７】
[007]一般的なＰＤＡ半透過型表示装置は、複屈折液体からなり、ここではキラル添加剤が、液晶分子を適切に位置合わせするように布または類似のものでラビング処理された導電層間に閉じ込められている。液晶の屈折性は、位置合わせ層に垂直に電場をかけることによってゼロに切り替えられ得る。これを達成するために、導電層の一方は、分解されて、小さく、正方形または矩形の、アドレス型の、マトリクスを形成するようにモザイク状にされた電極になり、一方で他方は、電圧基準平面を形成する。色フィルタが、電極上に加えられて効果を改良することができる。
【０００８】
[008]この配置は、次いで、位置合わせされたまたは垂直の偏光軸を有する偏光フィルムのシート間に置かれ、半透鏡の前に配置され、照明が与えられる。半透鏡は入射光の５０％を伝え、５０％を反射するため、表示装置は、前部または背部光のいずれかから照明され得る。
【０００９】
[009]より大きい、透明液晶表示装置（ＬＣＤ）は、半透過型表示装置の類似の形で製作されるが、半透鏡は省かれている。背面照明が、光管としても知られている光ガイド、および拡散器と組み合わせて冷陰極蛍光管によってもたらされる。
【００１０】
[0010]従来技術の光管背面照明組立体は、ＬＣＤパネル縁（通常は矩形）とほぼ同一延長にある境界部を有し、通常は、ホウケイ酸塩に類似する光学特性を有するアクリルプラスチックから製作された光案内パネルから構築される。小型の蛍光管の対が、適切に設計された光反射装着体（すなわち、放物面反射鏡の焦点に配置された）内に、アクリルシートの対向する側縁に沿って装着される。
【００１１】
[0011]蛍光管の機能は、インコヒーレント光を生成し、光案内パネルの内部に向けることであり、光案内パネル内では、光は、通常、「全内部反射」のよく知られている原理によって拘束される。理想的な状態下では、光は、アクリルプラスチックシートの表面から漏出しない。しかし、光は、光ガイド表面から、その中に傷を形成することによって、起伏によって、または全内部反射の臨界角度を局所的に変更する任意の他の手段によって引き出され、または「漏出」させられ得る。引き出された光は、上記で説明されたＬＣＤパネルの背面照明などの照明目的で使用され得る。反射器が、光管の後部表面の後方に置かれて、後方に発光された光をＬＣＤを通して反射し、表示装置照明に付加する。
【００１２】
[0012]蛍光管からの距離に応じて光ガイドの光強度の低下を補償するために、光引き出しパターンが、光案内チャネルの一方または両方の表面上に恒久的に形成される。通常、光引き出しパターンは、アクリル光案内パネルの前部表面上に恒久的に型押しされたまたはサンドブラストされたドットパターンとして実現される。
【００１３】
[0013]光案内パネルに沿って光強度補償を達成するために、ドットパターンの密度は、蛍光管からの距離に伴って二次式に増大するように構成され得る。この構築は、光案内パネルにわたって一定の背面照明の輝度を与える。光ガイド表面にわたって均一の発光強度を維持する代替的な手段は、先細になる断面プロファイルを備えたパネルを形成することである。
【００１４】
[0014]光引き出しパターンから生じるスポット化された配光をＬＣＤパネルに向かって統合する（すなわち拡散）させるために、光拡散シートが、光案内パネルの上部に置かれる。拡散器は、通常、小さい（おおよそ１０−６ｍ）こぶおよびくぼみで刻印された１つの表面を有する透明プラスチックまたはガラス材料の薄いシートであり、ガイドの面を覆って置かれ、その結果、薄く、明るい、均一な光のランバート表面を生じさせる。プリズムフィルムもまた、表示装置と背面光の間に置かれてその効率性を増大させることができる。
【００１５】
[0015]第２の光拡散シートが、最も市販されている「光管」背面光設計において光案内パネルの後部表面を覆って置かれて、光案内パネルの後方に配設された反射表面を向く後方表面上の永久的に形成された拡散ドットパターンから生じる、スポット化された配光を拡散する。
【００１６】
[0016]光案内パネル、蛍光管、拡散シートおよび反射層を一緒に組み合わせることにより、背面照明パネルに固着されたＬＣＤパネルの照明のための均一な空間的強度を有する背面光の平面を生み出す。
【００１７】
[0017]半透過型表示装置構造は、その低減された電力貯蔵能力、および屋外および／または明るい周囲光状態において機能する必要性により、ほとんどのＰＤＡ装置において用いられている。
【００１８】
[0018]したがって、ＰＤＡ装置は、通常、表示／入力インターフェース領域の不足、および高輝度発光表示装置などの電力集中装置を作動させる限定された能力を有するものとして特徴付けられ得る。
【００１９】
[0019]表示／入力インターフェース領域の不足に対処する１つの手段は、別の透過型表示ペインを既存のＰＤＡ表示装置を覆って重ねることによるものである。（参照によって本明細書に組み込まれる、本出願者の同時係属出願のＰＣＴ／ＮＺ９８／０００９８およびＰＣＴ／ＮＺ９９／０００２１に説明される）このタイプの技術は、さまざまな手段によって、設定された距離における画像平面の積み重ねを可能にする。これらの構成は、固有の運動視差をもたらし、この場合、ｘおよびｙ距離は、視野角度、両眼奥行き手がかり、および受け手が自身の注意を固定する場所に応じて焦点を当て、また外すようにもっていかれ得る別々の焦点面に応じて、さまざまな異なる平面上に表示された物体間で変化する。
【００２０】
[0020]しかし、ＰＤＡタイプ装置の既存のスクリーンに重なる別の表示スクリーンの追加の結果、極めて暗い組み合わされた表示装置となる。これは、部分的には、追加の表示装置の追加の層を通り抜ける光の本質的減衰および上記で論じられた電力制約による背面照明の輝度の増大の非実用性によるものである。
【００２１】
[0021]したがって、（上記に定義されたような）ＰＤＡタイプの装置の拡大された表示領域を、表示光度に有害な損失を発生させずに提供する必要がある。
[0022]本明細書において引用される、任意の特許または特許出願を含むすべての参照文献は、参照によって本明細書に組み込まれる。いかなる参照文献も従来技術を構成することは承認されない。参照文献の論議は、その著者が主張するものを述べるものであり、本出願者は、引用された文献の正確性および適切性に異議を唱える権利を保有する。いくつかの従来技術の公報が本明細書に対して参照され得るが、この参照文献は、これらの文献のいかなるものも、あらゆる国の従来技術における共通の一般的知識の一部を形成するという承認を構成するものではないことが明確に理解される。
【発明の概要】
【発明が解決しようとする課題】
【００２２】
[0023]本発明の目的は、前述の問題に対処し、または少なくとも公衆に有用な選択を提供することである。
【課題を解決するための手段】
【００２３】
[0024]本発明の１つの態様によれば、第１の焦点面内に第１のスクリーンを有する視覚的表示ユニットを、少なくとも部分的に前記第１のスクリーンを覆い、前記第１の焦点面とは別個の焦点面内に位置する１つまたは複数の少なくとも部分的に透過型の表示スクリーンを追加することによって適応させる方法であって、
少なくとも部分的に透過型の発光層が、前記第１のスクリーンと少なくとも１つの前記追加の表示スクリーンとの間に設けられることを特徴とする方法が、提供される。
【００２４】
[0025]本明細書では、用語「発光層」は、電気的、光学的、機械的、磁気的、または他のものであれ、外部入力によって刺激されたときに光を発光することができる任意の光学的構成要素を含む。
【００２５】
[0026]本明細書では、用語「視覚的表示ユニット」は、それだけに限定されないが、携帯情報端末（ＰＤＡ）、携帯型および／または手持ち型の装置、携帯電話、時計、計算機、データロガー、カメラ、機器表示装置、テレビを含むコンピューティング手段、および任意の他の電子表示手段を含む。
【００２６】
[0027]別の実施形態によれば、上記で説明された方法によって生み出された視覚的表示ユニットが、提供される。
[0028]本発明のさらに別の態様によれば、別個の焦点面内に配置された２つまたはそれ以上の少なくとも部分的に重なる表示スクリーンを有し、少なくとも１つの前記スクリーンは、少なくとも部分的に透過型である、視覚的表示ユニットにおいて、少なくとも部分的に透過型の発光層が、前記スクリーン間に設けられることを特徴とする、視覚的表示ユニットが、存在する。
【００２７】
[0029]したがって、ＰＤＡなどの視覚的表示ユニットが、複数の焦点面表示装置および発光層を最初の製造段階において組み込む、または別個の付属品として据え付けるように適応され得ることが、確認され得る。
【００２８】
[0030]本発明の１つの態様によれば、前記発光層は、ほぼ平坦な対向する上側および下側表面と、所定の厚さの周囲境界とを有するシートであり、前記シートは、前記周囲境界から入射する光線が、臨界角度未満の角度における全内部屈折を通して前記平坦表面間に保持されるような材料から形成される。
【００２９】
[0031]好ましくは、少なくとも１つの前記シート平坦表面は、その上に配置された複数の画定された特徴部を有し、この特徴部は、前記特徴部への前記保持された光線入射を、前記平坦表面の１つを介して前記シートを退出するのに十分な全内部反射の前記臨界角度より大きい角度で屈折させることができる。
【００３０】
[0032]好ましくは、前記特徴部は、拡散ドット、所定の傷、刻み目溝、突起部、定形または不定形の起伏などを含む。
[0033]好ましくは、冷陰極蛍光管などの少なくとも１つの光源が、前記周囲縁に沿って配置される。
【００３１】
[0034]代替の実施形態では、前記光源は、発光ダイオードのアレイである。
[0035]好ましくは、前記発光層は、隣接するスクリーン間の周縁が前記受け手の視線に沿って見えないように、前記周縁において光線軸を屈折させるように構成される。
【００３２】
[0036]本発明の１つの態様によれば、前記特徴部は、前記光源からの距離の関数として（たとえば二次関数）増大する密度で分布される。
[0037]本発明の代替の実施形態によれば、発光シートの前記規定の厚さは、前記光源からの距離の関数として低減される。
【００３３】
[0038]前記特徴部分布および発光シート厚さの上記の構成は、いずれも、均一な光強度を出力する手段を提供して、光源からの距離に伴って強度が低下することを回避する。
[0039]本発明の１つの実施形態によれば、前記発光層は、光ガイドから形成される。
【００３４】
[0040]本発明の代替の実施形態によれば、前記発光層は、透過型有機発光ダイオード（ＴＯＬＥＤ）組立体から形成される。
[0041]ＴＯＬＥＤは、両側から均一に光を発光し、必ずしも、前記画定された特徴部などを介して光強度分布を制御する上記で説明された手段を必要としない。
【００３５】
[0042]しかし、光がＴＯＬＥＤの両側から発光するという事実は、それ自体、受け手によって見られる画像の劣化を引き起こし得る。これは、前部ＬＣＤパネルの透過部分を通して受け手に向かって上向きに発光された光が、後部ＬＣＤパネルが後部スクリーン上の任意の所与の点において透明または黒の領域を表示しているかに関係なく、等しい強度で伝達されるという事実によるものである。
【００３６】
[0043]これは、後部スクリーンの透過部分には障害を引き起こさないが、黒領域（たとえばテキスト）は、隣接する透過領域に対するコントラストが低減されて、灰色で現れる。ＴＯＬＥＤから発光された光は、これが位置合わせされる、または後部スクリーン上の黒テキストの一部分に重なるかどうかによって直接的に変更される手段を有さない。
【００３７】
[0044]この障害は、ワイヤグリッド偏光子および偏光型ＴＯＬＥＤ、すなわち偏光された光を発光するＴＯＬＥＤを使用することによって対処される。任意選択により、光学位相差板もまた組み込まれてよい。（以下に説明する）この組み合わせは、ＴＯＬＥＤから直接的に上向きに放射する光を効果的に再循環させ、光の偏光を再配向して、表示コントラストを損なうことなく、表示の照明を最大限にする。
【００３８】
[0045]したがって、本発明の好ましい実施形態では、前記発光層は、前部スクリーンと後部スクリーンの間に配置された偏光型ＴＯＬＥＤ発光層であり、この場合、ワイヤグリッド偏光子が、ＴＯＬＥＤと前部スクリーンの間に挿入される。
【００３９】
[0046]本明細書では、前部および後部スクリーンは、ユーザが従来の水夫で表示装置を見る物理的近接性に関して規定され、すなわち、前部スクリーンは、後部スクリーンよりユーザに近い。１つまたは複数の追加のスクリーンが、前記前部と後部のスクリーン間に配置され得る。
【００４０】
[0047]偏光された光は、ＴＯＬＥＤの両方の表面から発せられ、ここでは、上方向／外方向の発光は、明確性、コントラストおよび／または効果性、またはすべての重なる表示スクリーンによって形成された複合画像を潜在的に劣化させる。
【００４１】
[0048]ワイヤグリッド偏光子は、本明細書では、Ｓ偏光された光を反射させながら、Ｐ偏光された光を伝えることができる、またはその逆の形で伝えることができる任意の偏光子を含むように定義される。
【００４２】
[0049]偏光は、入射平面に対して、すなわち、入来し、反射される光線と共にサンプル表面に対する垂線を含む平面に対して規定される。
[0050]Ｓ偏光は、電場が入射平面に対して垂直である場合であり、一方でＰ偏光に関しては、電場は、入射平面に対して平行である。
【００４３】
[0051]ワイヤグリッド偏光子は、多様な材料および製造技術から形成されてよいが、これらは、通常、透過型基板またはフィルム上に形成された離間された線の定形構成を含む。
【００４４】
[0052]ストリップは、ＫＲＳ−５またはＺｎＳｅなどの光学的に透過型の窓の面上に被着された極めて微細な金属ワイヤのアレイになり得る。ワイヤの方向に沿って配向された光の電場は、ワイヤに沿って電流を誘発することができるため、ワイヤグリッドは、ワイヤの方向に沿って偏光された事実上すべての放射を反射させる金属表面として作用する。ワイヤの方向に垂直な電場は、ワイヤグリッド内に電流を誘発することはできない。したがって、光は、基板窓からの反射損失のみで偏光子を通って伝達する。
【００４５】
[0053]代替の構造では、正確に離間された木立ちが、高度に磨かれ、次いでアルミめっきが施されたＣａＦ２またはＺｎＳｅ基板内に直接的に引かれる（ruled）。ホログラフィック法が、ホログラフィック・ワイヤ・グリッドの溝を生み出すために用いられてもよい。
【００４６】
[0054]したがって、ワイヤグリッドは、所与の偏光の入射光が、偏光子を通り抜けることができ、一方で前記所与の偏光に対して直交する偏光の光は、相互に反射される特性を有する。したがって、ワイヤグリッド偏光子が、グリッドの偏光軸と同じ方向に偏光された光によって照明されたとき、光のすべてが反射されるということになる。その反対に、ワイヤグリッドの偏光軸に対して直交して配向された偏向された光は、グリッドを通して伝達される。しかし、偏光された光はワイヤグリッド偏光子上に入射する。
【００４７】
[0055]したがって、１つの実施形態では、ワイヤグリッドの偏光軸は、ＴＯＬＥＤから発光された偏光された光をＴＯＬＥＤに戻して通過させて後部スクリーンに向かうように反射するように配置される。
【００４８】
[0056]好ましくは、前記後部スクリーンは、コレステリックＬＣＤ表示装置である。
[0057]１つの実施形態では、反射された光は、前記後部スクリーンによって反射される前に、４分の１波長位相差板を通過する。これは、光において４分の１波長シフトを生み出し、その光は、次いで、後部表示装置によって反射され環状に偏光される。しかし、位相差の他の度合いを生み出す位相差板が、入射光および表示スクリーンの特性に応じて、利用されてよいことが理解されよう。
【００４９】
[0058]後部表示装置によって反射された光は、４分の１波長移送板を２度通過してから、ＴＯＬＥＤを２度通過してワイヤグリッド偏光子に至る。位相差板は、さらなる４分の１波長シフトをかけ、その結果線形に偏光された光を生じさせる。後部表示装置上のテキストまたは図を示す領域、すなわち光の伝達を妨げる領域は、後部スクリーンから受け手に反射された光内では照明されない領域のまま留まる。
【００５０】
[0059]線形に偏光された光は、次いで、ワイヤグリッド偏光子および前部スクリーン偏光子を通過する。
[0060]上記の構成は、したがって、ＴＯＬＥＤの上側表面から発光された光を効果的に再循環させ、この光は、そうでなければ、受け手によって見られる画像のコントラストおよび輝度を劣化させることになる。
【００５１】
[0061]代替の実施形態では、位相差板は、すべて省かれてもよい。そのような実施形態では、ＴＯＬＥＤから後部スクリーン（１０）に直接的に向けて発光された光およびワイヤグリッド偏光子から反射された光は、ワイヤグリッド偏光子および前部スクリーンを通って伝達される前に後部スクリーン（１０）によって直接的に反射される。
【００５２】
[0062]後部表示装置からの反射された光がワイヤグリッド偏光子を通って伝達される度合いは、その偏光によって決まり、これは、次いで、後部スクリーン上の光入射の偏光によって決まる。コレステリックＬＣＤ後部表示装置は、本質的には、円偏光子として挙動する。その結果、後部スクリーン上の光入射の３つの可能な偏光の場合、反射される光の偏光は、以下の通りである：
ｉ．入射光は、ランダムに偏光され、この場合、反射されたものは、円形に偏光される。
ｉｉ．入射光は、線形に偏光され、この場合、これは、円形に偏光されて現れる。
ｉｉ．入射光は、楕円形に偏光され、この場合、これは、楕円形に偏光されるように現れる。
【００５３】
[0063]反射された光は、その偏光配向が、ワイヤグリッドの伝達軸に対応する場合、影響されずにワイヤグリッドを通過することができ、すなわち線形に偏光される。
[0064]反射された光が円形に偏光される場合、適切な位相差板を使用して、偏光位置合わせを、ワイヤグリッド偏光子のものと合致するように補正することが有利である。
【００５４】
[0065]好ましくは、前記スクリーンは、液晶表示装置である。しかし、代替の構造が可能であり、本発明は、ＬＣＤの使用に必ずしも限定されないことが理解されよう。
[0066]後部表示装置の主な基準は、これが、入射光を少なくともいくらかの程度で反射することである。この目的に適切なＬＣＤ表示装置の代替策は、近年開発された「電子ペーパー」を含む。これは、非常に薄く、安価である、テキストおよび静的画像の低電力消費表示装置を備えた、従来の紙の電子的代替策を形成する製品を生み出すことを目的として、表示装置研究分野では大きな関心を示す領域である。この電子ペーパーは、ディスクトップ表示装置のやり方で、但し同じかさを有することなく対処可能である製品を提供するよう意図される。
【００５５】
[0067]関係する技術は、光学的に共鳴する空洞の切り替え可能なアレイによって形成される干渉変調器、電気的に制御可能な色素を使用するマクロカプセル化電気泳動表示装置、ならびに良好に確立された反射性および半透過型液晶技術を含む。
【００５６】
[0068]入射光の１０％から１００％の間を反射する表示装置のこれらおよび任意の他のタイプは、本発明において後部表示装置として使用するのに適切である。
[0069]その結果、少なくとも部分的に透過型の発光層を組み込むことにより、ＰＤＡなどの実用的な多焦点面の視覚的表示ユニットが、実現され得る。発光層の透過特性は、半透過型表示装置構造を保持することを可能にし、したがって、高い周辺光の状態における追加の電力供給される表示照明の必要性を無くす。追加の照明が屋内でまたは低光の環境において必要とされる場合、発光層は、必要な照明をもたらす低電力手段を提供する。
【００５７】
[0070]さらに、発光層としてＴＯＬＥＤを使用する上記で説明された構成は、必ずしも２つの表示装置間に適用される必要はないことが理解されよう。
[0071]その代わり、構成は、他の単一または多層表示装置において前部照明手段として、個々に、または他の背面光および／表示装置間に配置された発光層と組み合わせて使用されてよい。
【００５８】
[0072]したがって、本発明の別の態様によれば、
−偏光型透過型有機発光ダイオード（ＴＯＬＥＤ）と、ＴＯＬＥＤと視覚的表示ユニットを見る観察者との間に配置されたワイヤグリッド偏光子と
を含む、視覚的表示ユニット照明組立体が提供される。
【００５９】
[0073]任意選択により、前記照明組立体は、ＴＯＬＥＤと表示装置の後部の間に配置された光学的位相差板を組み込む。位相差（たとえば４分の１波長位相差板）の度合いは、ＴＯＬＥＤから発せられ、後部表示装置スクリーン（複数可）から反射された光の偏光と、ワイヤグリッド偏光子の偏光伝達軸との間の変動にしたがって規定され得る。光学的位相差板によって提供された位相差の度合いは、光が位相差板を２回通過するとき、必要とされる合計位相シフトの半分である必要があることが理解されよう。
【００６０】
[0074]前記照明組立体は、１つまたは複数のスクリーンからなる視覚的表示ユニットの前で使用され得るが、連続的なスクリーンによる光の減衰は、スクリーン層の数を限定する。照明組立体はまた、上記の実施形態において説明されるように、多層型のディプレイ内の２つのスクリーン間に配置されてもよい。
【００６１】
[0075]視覚的表示ユニット照明組立体は、したがって、従来の背面光の交換品として、２スクリーンＬＣＤ表示ユニットなどの多層型表示装置の前に嵌合されてよい。照明組立体はまた、ユーザが、たとえば中央の透過型拡大セクションを備えた歯医者または宝石商のライトなどの、場面／対象物に向けられた照明源とほぼ同じ方向から、対象物／場面を見る必要がある用途に使用されてもよい。
【００６２】
[0076]したがって、本発明の実施形態は、３次元体積空間を作り出す視覚的表示ユニットを開示する。表示装置は、第１の焦点面内に第１のスクリーンであって、第１の画像を表示する、第１のスクリーンを含む。表示装置は、第１の焦点面とは別個の第２の焦点面内に第２のスクリーンであって、第２の画像を表示し、少なくとも部分的に第１のスクリーンに重なる、第２のスクリーンを含む。表示装置は、第１のスクリーンと第２のスクリーンの間に配置された物理的対象物であって、第１および第２の画像の少なくとも１つは、物理的対象物の配置に応答して表示される、物理的対象物を含む。
【００６３】
[0077]本発明の別の実施形態によれば、視覚的表示ユニットを適応させるための方法であって、画像を用いて３次元（３Ｄ）体積空間を作り出すステップを含む、方法が開示される。方法は、第１のスクリーンを第１の焦点面内に提供するステップであって、第１のスクリーンは第１の画像を表示する、ステップを含む。方法は、第２のスクリーンを、第１の焦点面とは別個の第２の焦点面内に提供するステップであって、第２のスクリーンは、第２の画像を表示し、第２のスクリーンは、少なくとも部分的に第１のスクリーンに重なる、ステップを含む。方法は、第１のスクリーンと第２のスクリーンの間に配置された物理的対象物を提供するステップであって、第１および第２の画像の少なくとも１つは、物理的対象物に関連して表示される、ステップを含む。
【００６４】
[0078]本発明の代替の実施形態では、視覚的表示ユニットを適応させるための方法であって、画像を用いて３次元（３Ｄ）体積空間を作り出すステップを含む、方法が開示される。方法は、第１のスクリーンを第１の焦点面内に提供するステップであって、第１のスクリーンは、第１の画像を表示する、ステップを含む。方法は、第２のスクリーンを、第１の焦点面とは別個の第２の焦点面内に提供するステップであって、第２のスクリーンは、第２の画像を表示し、第２のスクリーンは、少なくとも部分的に第１のスクリーンに重なる、ステップを含む。方法は、第１の画像および第２の画像を関連付けることによって３Ｄ体積空間を作り出すステップを含む。方法は、物理的対象物を３Ｄ体積空間の周りに挿入するステップであって、第１および第２の画像の少なくとも１つは、物理的対象物に関連して表示される、ステップを含む。
【００６５】
[0079]本開示のさまざまな実施形態のこれらおよび他の目的および利点は、さまざまな図において示される実施形態の以下の詳細な説明を読み取ることで、当業者によって認識されるであろう。
【００６６】
[0080]本発明のさらなる態様は、例としてのみ与えられた以下の説明から、添付の図を参照することによって明らかになるであろう。
【図面の簡単な説明】
【００６７】
【図１】[0081]従来技術の表示装置の光管背面照明組立体を貫通する概略側部断面図である。
【図２】[0082]光管の表面上に分布された拡散ドット分散パターンの平面図である。
【図３】[0083]本発明の第１の好ましい実施形態の概略複合図である。
【図４】[0084]知られているＰＤＡ表示装置を貫通する概略断面図である。
【図５】[0085]本発明の別の好ましい実施形態を貫通する概略断面図である。
【図６】[0086]本発明の別の好ましい実施形態によるＴＯＬＥＤを貫通する概略断面図である。
【図７】[0087]図３、５、および６に示される本発明の実施形態を貫通する概略断面図である。
【図８】[0088]本発明の別の好ましい実施形態による、ＴＯＬＥＤを貫通する概略断面図である。
【図９】[0089]本発明の別の好ましい実施形態による、ＴＯＬＥＤを貫通する概略断面図である。
【図１０】[0090]本開示の１つの実施形態による、２つまたはそれ以上のスクリーンを有する視覚的表示ユニット内に物理的対象物を統合するための方法を示す流れ図である。
【図１１Ａ】[0091]本開示の実施形態による、２つまたはそれ以上の表示装置間に置かれた物理的対象物の図である。
【図１１Ｂ】[0092]本開示の１つの実施形態による、受け手の視線に沿って見るときの、図１１Ａに示されるような２つまたはそれ以上の表示装置間に置かれた物理的対象物の図である。
【図１１Ｃ】[0093]本開示の１つの実施形態による、奥行きの手がかりが除去された後、視覚的奥行きを保持する、図１１Ａに示されるような２つまたはそれ以上の表示装置間に置かれた物理的対象物の図である。
【図１２Ａ】[0094]本開示の１つの実施形態による、物理的対象物に関連付けられた情報および物理的対象物に関連付けられない情報を含む、２つまたはそれ以上の表示装置間に置かれた物理的対象物の図である。
【図１２Ｂ】[0095]本開示の１つの実施形態による、受け手の視線に沿って見るときの、図１２Ａに示されるような２つまたはそれ以上の表示装置間に置かれた物理的対象物の図である。
【図１３Ａ】[0096]本開示の１つの実施形態による、物理的対象物に関連付けられた情報を有する１つの表示装置と、物理的対象物に関連付けられない情報を有する第２の表示装置とを含む、２つまたはそれ以上の表示装置間に置かれた物理的対象物の図である。
【図１３Ｂ】[0097]本開示の１つの実施形態による、受け手の視線に沿って見るときの、図１３Ａに示されるような２つまたはそれ以上の表示装置間に置かれた物理的対象物の図である。
【図１４Ａ】[0098]本開示の１つの実施形態による、複数の情報が各々異なる層内に別々に表示されるような、２つまたはそれ以上の表示装置間に置かれた物理的対象物の図である。
【図１４Ｂ】[0099]本開示の１つの実施形態による、各々の情報が他の情報から分離されるような、受け手の視線に沿った、図１４Ａに示されるような２つまたはそれ以上の表示装置間に置かれた物理的対象物の図である。
【図１４Ｃ】[00100]本開示の１つの実施形態による、各々の情報が他の情報から分離されるような、受け手の視線に沿った、図１４Ａに示されるような２つまたはそれ以上の表示装置間に置かれた物理的対象物であるが、図１４Ｂに示されるものとは異なる構成を有する図である。
【図１４Ｄ】[00101]本開示の１つの実施形態による、各々の情報が他の情報から分離されるような、受け手の視線に沿った、図１４Ａに示されるような２つまたはそれ以上の表示装置間に置かれた物理的対象物であるが、物理的対象物は表示装置から除去されている、図である。
【図１５】[00102]本開示の１つの実施形態による、多層型表示装置によって画定された３次元体積空間内に物理的対象物を統合するための方法を示す流れ図である。
【発明を実施するための形態】
【００６８】
[00103]図１〜７は、携帯情報端末（ＰＤＡ）の形態またはその一部の本発明の好ましい実施形態を示す。しかし、本発明は、携帯電話、時計、計算器、データロガーなどの携帯型および／または手持ち式コンピューティング手段等を含む多様な視覚的表示ユニットにも同様に適用可能であり、これらは、本明細書の目的のために、本発明によって包含されるものとして規定される。
【００６９】
[00104]ＰＤＡなどの携帯型視覚的表示ユニットを組み込む既存の装置は、限定された電池貯蔵能力により、その構成要素の電力消費要件において厳しく制限されている。その結果、半透過型表示装置が幅広く採用され、背面照明組立体の一部として光管または光ガイドが使用されている。図１は、ほぼ平坦な上側および下側表面を備えた矩形の透明アクリルシートの形態の光ガイド（２）を、これに固定されまたは隣接する拡散器（３）および反射器（４）それぞれと共に組み込むノートブックタイプのコンピュータに使用される通常の背面光組立体（１）を示す。
【００７０】
[00105]光ガイドは、１つの周囲縁に沿って、ライトパイブ（２）の周囲境界壁を通して照明を反射する放物面反射器（６）内に収容された冷陰極蛍光管（５）を有し、照明は、全内部反射により、保持されている。光ガイド（２）の平坦表面のいずれかまたは両方には、複数の拡散ドット（７）が設けられ得る。本質的には、光ガイド（２）は、照明源を提供し、表示装置の光学部分の一部ではない。
【００７１】
[00106]図２の平面図に示されるように、拡散ドット（７）は、局所化された領域であり、それによって拡散ドット（７）に衝突する光ガイド内に拘束された光は、全内部屈折の臨界角度を超え、平坦表面から発せられる。輝度の均一な分布を維持するために、光ガイド（２）の断面プロファイルは、蛍光管（５）からの距離に対して先細になる。蛍光管（５）の反対側の周囲縁には、端部反射器（８）が設けられる。
【００７２】
[00107]図１に示される背面照明組立体は、通常のノートブックタイプコンピュータの表示スクリーンの最も後部に配置される。
[00108]表示領域および／またはユーザ入力インターフェース領域は、そのサイズにより、ＰＤＡ内では重視されるものである。図３は、元の表示装置（１０）に平行であり、そこから離間されて置かれた補助的な表示装置（２０）が嵌合された既存のＰＤＡ（１）構成を貫通する断面図を示す。
【００７３】
[00109]図３を詳細に参照すれば、表示装置（１０）の後部に配置された（知られているタイプの）偏光型背面光源（１１）は、連続的に、半透鏡（１２）、ガラス基板（１３）、ラビング処理された導電性ＩＴＯ接地層（１４）、液晶（１５）、電極パターンおよびその後のラビング処理されたポリイミド層を備えたＩＴＯ層（１６）、硝子基板（１７）および分析器（１８）から構成される、複合した一連の層の後方に置かれる。この構造は、当業者に良く知られている半透過型ＬＣＤの一般的なものであり、さらに詳細には論じられない。元の表示装置（１０）は、元の表示装置（１０）の平坦面を覆って取り付けられ、これとほぼ同一延長にある、第２の表示装置（２０）を取り付けることによって拡張され得る。
【００７４】
[00110]第２の表示装置（２０）もまた、複数の層から構成され、この層は、元の表示装置（１０）の前部から連続的に、発光透過型屈折器、後部分析器／偏光子（２２）、ガラス基板（２３）、ラビング処理されたＩＴＯ導電性接地層およびその後のポリイミド位置合わせ層（２４）、第２の液晶（２５）、ラビン処理されたポリイミド位置合わせ層およびその後のＩＴＯ電極パターン（２６）、前部ガラス基板（２７）、前部分析器（２８）および拡散器（２９）からなる。拡散器（１７）が、タッチスクリーン層（３０）の表面に施されてよい。図３は、２つの表示組立体（１０、２０）が、同一ユニットとして製造段階において組み合わせられる実施形態を示す。
【００７５】
[00111]代替的には、第２の表示装置（２０）は、図３に示されるものと同一の要素が同じように番号付けされる図４および５に示されるように、ＰＤＡ表示装置（１０）の前部に、別個のユニットとして据え付けられてもよい。
【００７６】
[00112]図４は、拡散器（１８）層が固着され得るタッチスクリーン層（１９）の（図３に示されるものへの）追加の層を備えた既存のＰＤＡ表示装置（１０）を示す。図５は、適切な装着クリップ（図示せず）によって元のスクリーン（１０）に連結され、適切な駆動電子装置を介してＰＤＡ処理装置に、および、知られているＰＤＡに共通して見出されるような拡張スロットを介してインターフェース接続された電源に結合される二次表示スクリーン（２０）を示す。そのような相互接続は、当業者に良く知られており、それゆえ、本明細書においてはさらに論じられない。
【００７７】
[00113]発光層または発光透過型屈折器（２１）は、１つの実施形態では、図１を参照して説明されるように、光ガイド（２）または光管として知られているアクリルプラスチックのシートから形成される。光ガイドは、通常、拡散ドット（７）などのいくつかの画定された特徴部が配置される２つのほぼ平坦な対向表面を備えたシートからなる。光ガイドは、１つまたは複数の光源、たとえば、図１に示されるものに対応するやり方で光ガイド（２１）の周囲縁周りに配置された冷陰極蛍光管（５）などの１つまたは複数の光源によって照明される。
【００７８】
[00114]発光層（２１）の構成は、図１に示される光ガイド（２）にほぼ直接的に対応するものであるが、下側反射器（４）が省かれていることが異なる。光は、透過型発光ガイド（２１）からの両方の平坦表面から発光されて両方のＬＣＤ表示装置（１０、２０）を直接的に照明することができる。しかし、好ましくは、光ガイド（２）の下側平坦表面のみに複数の拡散ドット（７）が設けられて、発光された照明を後方表示装置（１０）のみに制限する。光は、次いで、後方表示装置（１０）内のコレステリック液晶から反射され、発光層（２１）および前部表示スクリーン（２０）を通して伝達される。
【００７９】
[00115]このようにして発光を制限することは、後方スクリーン（１０）上のテキストまたは図の領域が、発光表示装置（２１）から前部表示装置（２０）を通して受け手に直接的に発光される光と直接的に位置合わせせず、それに対応してコントラストの低減および色調の灰色化／消失を伴わないことを確実にする。
【００８０】
[00116]代替の実施形態では、光ガイド（２１）は、透過型有機発光ダイオード（ＴＯＬＥＤ）光源（３０）によって置き換えられ得る。図６は、透過型アノード（３１）、ガラス基板（３２）、ホール注入層（３３）、ホール輸送層（３４）、電位輸送層（３５）、光生成層（３６）およびカソード（３７）の形態の別の複数の層から構成された既存のＴＯＬＥＤ背面光（３０）を示す。
【００８１】
[00117]有機発光ダイオードは、表示装置技術の分野では、最近取り入れられたものであり、照明用途における使用に数多くの有益な特性を与えている。しかし、大面積ＴＯＬＥＤは、現在利用可能ではなく、したがってＴＯＬＥＤ背面光は、小面積ＬＣＤ表示装置などに適している。図６に示されるようなＴＯＬＥＤ（３０）の作動原理は、全電子再結合に基づいている。透過型アノード（３１）を含むガラス板（３２）（通常はＩＴＯ）は、小分子を一連の有機層（３３〜３６）に被着させるための基板として用いられる。電子は、臨界閾値電圧を超えるＤＣ電圧の印加時、カソードによって有機層（３３〜３６）内に注入される。ホールが、これに対応して、アノード（３１）によって有機層（３３〜３６）内に注入される。電子輸送層（３５）を通って進行する電子は、ホール注入層（３３）およびホール輸送層（３４）を通って、アノード（３１）からのホールにぶつかる。光生成層（３６）における電子とホールの再結合が、「励起子」（励起された中性分子）を作り出し、この励起子は、その後基底状態に戻り、それによって可視放射の形態の再結合エネルギーを放出する。
【００８２】
[00118]光生成層（３６）は、生成された光の効率性を改良するために、微量の特有の有機分子（ドーパント）でドープされる。ドーパントを利用する光生成層（３６）は、通常、「ホスト」層と呼ばれる。ドーパントおよびホストの適切な選択は、異なる色の光の生成をもたらすことができ、白光は、ホストおよびドーパントの２つの層によって作り出され得る。
【００８３】
[00119]（背面光としてのその役割とは反対に）発光透過型屈折器（２１）として、図６に示されるＴＯＬＥＤ（３０）を利用するために、発光された光がＬＣＤスクリーン（１０、２０）の両方を照明することができるように、カソード（３７）が透過型であることを明記することが必要である。発光層（２１）として光ガイド（２）の代わりにＴＯＬＥＤ（３０）を使用する実施形態の可能な構成は、図３〜５に示されるものに対応するが、ここでは、発光透過型屈折器（２１）の代わりにＴＯＬＥＤ（３０）を代用する。
【００８４】
[00120]後方スクリーン（１０）を前部スクリーン（２０）に対して拡大されるように耕作することにより、発光透過型反射器（２１）の屈折特性は、受け手の視線進路が、後方表示装置（１０）の実際の縁境界を浅い入射角度で検出することを防止する。これは、図７に見られ得、ここでは、対象物点（４２、４３）から発する発光された光線（３８および３９）はそれぞれ、画像点（４０、４１）それぞれから発するように見える。これは、受け手に見える、別個のＬＣＤユニット（１０、２０）間に配置された組み合わされた表示装置の部分の周囲縁を阻む。これはまた、表示装置（１０、２０）全体の３次元品質を改善する。
【００８５】
[00121]さまざまな変更および置換が、本発明の範囲から逸脱することなく、図示される表示組立体に加えられ得ることが理解されよう。たとえば、２つまたはそれ以上の別の表示装置（２０）が、既存の表示装置（１０）に追加されて、さらに別の利用可能な表示領域をもたらし、各々の表示装置は、関連する発光透過型屈折器（２１）を有しても、有さなくてもよい。
【００８６】
[00122]上記の実施形態は、液晶表示装置の使用を参照するが、これらは、本質的なものではなく、任意の代替的な表示装置技術が、非発光型であれ自己発光型であれ、そのまたは各々の前部表示装置が少なくとも部分的に透過型である条件で使用されてよいことが理解されよう。
【００８７】
[00123]図８は、本発明のさらに別の実施形態を示し、上記で説明されたＴＯＬＥＤベースの実施形態の欠点に対処する。光は、ＴＯＬＥＤの両面から等しく発光され、後部スクリーン（１０）のテキストまたは図のＴＯＬＥＤが重なる区域の領域は、ＴＯＬＥＤによって受け手に向かって発光されるさらなる輝度により、黒の代わりに（モノクロムＬＣＤスクリーンを使用する表示装置の場合）灰色で現れる。ＴＯＬＥＤから前部スクリーン（２０）を通って伝達される光は、後方表示装置（２０）と相互作用しないため、光の光路内に介入することなくこの障害を克服することは不可能である。光ガイド（２）とは異なり、ＴＯＬＥＤ（３０）の透過性に影響を与えることなく、光の発光を１つの表面だけに制限することは難しい。
【００８８】
[00124]この困難性は、図８に示される実施形態において、ＴＯＬＥＤ（３０）と前部（２０）スクリーンの間のワイヤグリッド偏光子（４４）およびＴＯＬＥＤ（３０）と後方スクリーン（１０）の間に配置された光学的位相差板（４５）を組み込むことによって克服される。
【００８９】
[00125]ＴＯＬＥＤ（３０）層から発光された光の通過は、関連するジョーンズベクトルおよび行列を参照して段階４６〜５３を参照して説明される。
[00126]この実施形態では、ＴＯＬＥＤ（３０）は、偏光された光を発光するように構成される。最初、光は、ＴＯＬＥＤ（３０）の両側から、前（２０）および後方（１０）の表示装置に向かって発光され（段階４６）、各々は、
【００９０】
【数１】
2017513044.tif 000003
【００９１】
のジョーンズベクトル（４６）によって表される。
[00127]前部表示装置（２０）に向かって発光された光（４７）は、ワイヤグリッド偏光子（４４）から反射され、戻ってＴＯＬＥＤ（３０）を通り、最初に（同じ偏光の）後部スクリーン（１０）に向かって発光された光（４８）と合わさり、結果として生じた光（４９）は、
【００９２】
【数２】
2017513044.tif 000004
【００９３】
のジョーンズベクトルを有する。
[00128]結果として生じた線形に偏光された照明（４９）は、対応する位相シフトをかける光学的位相差板（４５）を通過する。図示される実施形態では、位相差板（４５）は、その対応するジョーンズ行列
【００９４】
【数３】
2017513044.tif 000005
【００９５】
によって示されるように、４分の１波長位相シフトを生み出す。
[00129]その結果生じた伝達は、次の公式：
【００９６】
【数４】
2017513044.tif 000006
【００９７】
によって与えられる。
[00130]その結果生じた位相差が付与された光（５０）は、本質的には円偏光子として挙動する後部コレステリック表示装置（１０）の液晶によって反射される。後部表示装置のジョーンズ行列が、
【００９８】
【数５】
2017513044.tif 000007
【００９９】
である条件では、結果として生じた反射された光（５１）は、以下の公式によって説明される。
【０１００】
【数６】
2017513044.tif 000008
【０１０１】
[00131]反射された光（５１）は、次いで、別の４分の１波長位相差を有する位相差板（４５）を通って再伝達され、その結果、線形に偏光された出力が、以下の公式によって与えられる。
【０１０２】
【数７】
2017513044.tif 000009
【０１０３】
[00132]位相差板（４５）を通って伝達された光（５１）は、再度ＴＯＬＥＤ層（３０）を通過する。ＴＯＬＥＤ（３０）のジョーンズ行列は、
【０１０４】
【数８】
2017513044.tif 000010
【０１０５】
の単位行列であるので、以下の公式
【０１０６】
【数９】
2017513044.tif 000011
【０１０７】
によって与えられる、伝達の結果として生じた効果は、結果として生じた光（５３）を変更されないままにする。
[00133]ＴＯＬＥＤ（３０）を通って再伝達された光（５３）は、次いで、
【０１０８】
【数１０】
2017513044.tif 000012
【０１０９】
のジョーンズ行列によって説明されるワイヤグリッド偏光子（４４）を通過し、その結果、伝達された光（５４）は、以下の公式によって与えられる。
【０１１０】
【数１１】
2017513044.tif 000013
【０１１１】
[00134]ワイヤグリッド偏光子（４４）を通って伝達された、結果として生じた光（５４）は、後部スクリーン（１０）上に生成されたあらゆる画像の各々の部分の偏光特性のすべてを保ち、暗い領域と光の領域の間の相対輝度を維持する。図８に示される実施形態では、この光（５４）は、次いで、前部スクリーン（２０）を通過する。
【０１１２】
[00135]しかし、代替の実施形態では、集合的に照明組立体（５５）を形成する、ＴＯＬＥＤ（３０）、ワイヤグリッド偏光子（４４）および（任意選択により）光学的位相差板（４５）の組み合わせが、マルチスクリーン表示装置の前部に配置されてよく、またはユーザが、照明源と同じ軸から場面を見ながらその場面を照明することを可能にする透過型照明手段として使用されてもよい。
【０１１３】
[00136]位相差板（４５）を含めることは、後部表示装置（１０）の反射特性に応じて任意選択となる。位相差板（４５）は、こうして使用されて電場の振動平面（すなわち偏光）を補正して、ワイヤグリッド偏光子（４４）を通る最終的な伝達が、最小限の吸収損失で達成されることを確実にする。
【０１１４】
[00137]上記の例では、後部表示装置（１０）は、円偏光子として作用するコレステリック半透過型液晶である。入射光（４９）の偏光に応じて、後部スクリーン（１０）から反射された光は、以下のうち１つになることができる：
ｉ．入射光は、ランダムに偏光され、この場合、反射されたものは、円形に偏光される。
ｉｉ．入射光は、線形に偏光され、この場合、これは、円形に偏光されて現れる。
ｉｉｉ．入射光は、楕円形に偏光され、この場合、これは、楕円形に偏光されるように現れる。
【０１１５】
[00138]位相差板（４５）は、こうして、後部スクリーン（１０）から反射された光の偏光配向を、これがワイヤグリッド偏光子（４４）によって伝達または反射される前に変更することが必要とされる場合にのみ組み込まれる。
【０１１６】
[00139]図９は、図８に示されるものと同一であるが、光学的位相差板（４５）が省かれていることが異なる、本発明の実施形態を示す。同じ構成要素（１０、２０、４４、４７）は、同じ番号が付けられる。同様に、ＴＯＬＥＤ（３０）から発光され、ワイヤグリッド（４４）から反射され、ＴＯＬＥＤ（３０）を通って伝達される光（４６、４７、４８、４９）の変換および後部スクリーン（１０）上のその入射は、同じ参照番号で図８に示されるものと同一である。光（４６、４７、４８、４９）に関連付けられたジョーンズベクトルおよび前部スクリーン（２０）、後部スクリーン（１０）、ＴＯＬＥＤ（３０）およびワイヤグリッド偏光子（４４）を特徴付けるジョーンズ行列もまた、前述の実施形態と同一である。
【０１１７】
[00140]したがって、位相差板（４５）を通って進まなかった光（４９）の後部スクリーン（１０）への入射に続く状況を考えると、その後の移行は次の通りである。
[00141]ジョーンズベクトル
【０１１８】
【数１２】
2017513044.tif 000014
【０１１９】
によって特徴付けられた入射光（４９）は、後部スクリーン（１０）によって反射され、その結果として生じる変換は、以下の公式によって与えられる。
【０１２０】
【数１３】
2017513044.tif 000015
【０１２１】
[00142]反射された光（５６）は、次いで、ＴＯＬＥＤ（３０）を再度通過する。ＴＯＬＥＤ（３０）のジョーンズ行列は、単位行列
【０１２２】
【数１４】
2017513044.tif 000016
【０１２３】
であるため、公式
【０１２４】
【数１５】
2017513044.tif 000017
【０１２５】
によって与えられる伝達の結果として生じる効果は、結果として生じた光（５７）を変更されないままにする。
[00143]ＴＯＬＥＤ（３０）を通って伝達された光（５７）は、次いで、ジョーンズ行列
【０１２６】
【数１６】
2017513044.tif 000018
【０１２７】
によって特徴付けられたワイヤグリッド（４４）を通って、公式
【０１２８】
【数１７】
2017513044.tif 000019
【０１２９】
によって与えられた程度まで伝達される。
[00144]認識されている慣例によれば、虚数成分は、偏光配向を表現する上で数学的補助としてのみ考えられる。結果として生じる出力（５８）は、
【０１３０】
【数１８】
2017513044.tif 000020
【０１３１】
のジョーンズベクトルを与え、これは、位相差板（４５）を組み込む実施形態において生み出される対応する光出力（５４）の
【０１３２】
【数１９】
2017513044.tif 000021
【０１３３】
のジョーンズベクトルと比較される。この相違は、他方に対してちょうど１８０°の位相シフトとなる。眼は経時的に統合していくため、その相違は区別できず、両方の実施形態の結果として生じる輝度は、同じに見える。
【０１３４】
[00145]したがって、コレステリック液晶後部表示装置（１０）、または同じ反射特性を有する他の表示装置を使用する際、位相差板（４５）は、不利益を生じさせることなく省かれ得る。しかし、後部表示装置（１０）および／またはＴＯＬＥＤ（３０）から前部スクリーン（２０）までの光路内に置かれ得る任意の追加の光学的構成要素によって、ワイヤグリッド（４４）の偏光軸とその上への光入射との間に位置ずれが生じる場合、位相差板（４５）は、位置ずれを補正するために使用され得る。
【０１３５】
[00146]視覚的表示ユニット背面光および他のそのような照明源は、熱を生成し、この熱は、ケーシング設計に対する制約および／またはファンなどの能動的冷却の必要性を有さずに分散させることは難しくなり得る。照明源を前部スクリーンの前方に置くことは、そのような加熱問題を軽減し得る。したがって、照明組立体は、たとえば、単一スクリーン表示装置と共に使用されてノートブックコンピュータなどの用途において背面光に置き変わることができる。
【０１３６】
[00147]そのような場合、ワイヤグリッド偏光子（４４）は、基板の内面上、または基板層の間にサンドイッチ構造で形成されて、精巧なワイヤグリッドを保護する。
[00148]本発明の態様は、例としてのみ説明されてきており、改変形態および追加が、本発明の範囲から逸脱することなくこれに加えられてよいことを理解されたい。
３Ｄ体積空間内に挿入される物理的対象物
[00149]本発明の実施形態は、図１〜９において本明細書においてすでに説明された表示装置などの、別個の焦点面内に配置された２つまたはそれ以上の少なくとも部分的に重なる表示スクリーンを有する表示装置、およびさまざまな形態の照明（たとえば、表示装置間に配置された背面光および／または発光層など）を用いる他の単一層のまたは多層型の表示装置内で実施される。
【０１３７】
[00150]図１０は、本開示の１つの実施形態による、１つまたは複数の物理的対象物を、多層型の表示装置などの２つまたはそれ以上のスクリーンを有する視覚的表示ユニット内に組み込むための方法を示す流れ図１０００である。たとえば、本発明の実施形態は、携帯電話、時計、計算器、データロガーなどの携帯型および／または手持ち式コンピューティング手段を含む多様な視覚的表示ユニットに適用可能である。本発明のさらに他の実施形態は、同様に適用可能な、計器パネル、車両表示装置、ゲーム装置、テレビスクリーン、コンピュータスクリーンなどのより大きい視覚的表示ユニットである。
【０１３８】
[00151]１０１０において、方法は、第１のスクリーンを視覚的表示ユニットの第１の焦点面内に提供するステップを含み、前記第１のスクリーンは第１の画像を表示する。１０２０において、方法は、第２のスクリーンを視覚的表示ユニットの第２の焦点面内に提供するステップを含み、第２のスクリーンは第２の画像を表示する。焦点面は、別個のものであり、それにより、２つの焦点面上の画像は、画像が中に投影される３次元体積空間をもたらす。１つの実施形態では、画像は、受け手によって見られるとき、奥行き、現実性、および改善された全体画像をもたらすように表示される。
【０１３９】
[00152]１つの実施形態では、視覚的表示ユニットは、対応する画像を各々が表示する２つまたはそれ以上のスクリーンを備える。スクリーンの１つまたは複数は、少なくとも部分的に透過型である。このようにして、後方スクリーンからの画像は、少なくとも１つまたは複数の部分的に透過型の前方スクリーンを通して見ることができる。
【０１４０】
[00153]１つの実施形態では、第１のスクリーンおよび第２のスクリーンは、部分的に重なる。このようにして、２つのスクリーン上の画像は、互いに相互作用して改善された３次元効果を受け手にもたらすように構成可能である。別の実施形態では、第１のスクリーンおよび第２のスクリーンは重ならない。２つのスクリーン上の画像は、表示スクリーンが異なる焦点面に位置することにより、受け手に３次元効果をもたらす。しかし、画像は、必ずしも互いに相互作用せず、互いに独立した画像を提供することができる。
【０１４１】
[00154]１０３０において、方法は、物理的対象物を、第１のスクリーンおよび第２のスクリーンに関連付けられた場所に提供するステップを含む。さらに、第１および第２の画像の少なくとも１つは、物理的対象物に関連してまたはこれと連動して表示される。たとえば、第１および第２の画像の少なくとも１つは、物理的対象物の何らかの局面と相互作用することができる。たとえば、画像は、物理的対象物の存在と相互作用することができ、物理的対象物の配置と相互作用することができ、物理的対象物の移動と相互作用することができ、物理的対象物の消滅と相互作用することができ、および／または物理的対象物のさまざまな他の局面と相互作用することができる。
【０１４２】
[00155]１つの実施形態では、物理的対象物は、第１のスクリーンおよび第２のスクリーンの後方に配置され、この場合、前記第１および第２の画像の少なくとも１つは、前記物理的対象物に関連して表示される。他の実施形態では、物理的対象物は、第１と第２のスクリーンの間に配置され、このとき、１つまたは複数の追加のスクリーンが、スクリーンの後方、スクリーン間、スクリーンの前、またはその何らかの組み合わせを含む、第１および第２のスクリーンに関連する何らかの構成で配置される。別の実施形態では、物理的対象物は、第１および第２のスクリーンの前に配置される。さらに他の実施形態では、物理的対象物は、第１および第２のスクリーンの前に配置され、このとき１つまたは複数の追加のスクリーンが、スクリーンの後方、スクリーン間、スクリーンの前、またはその何らかの組み合わせを含む、第１および第２のスクリーンに関連する何らかの構成で配置される。別の実施形態では、物理的対象物は、第１および第２のスクリーンの後方に配置される。さらに他の実施形態では、物理的対象物は、第１および第２のスクリーンの後方に配置され、このとき１つまたは複数の追加のスクリーンが、スクリーンの後方、スクリーン間、スクリーンの前、またはその何らかの組み合わせを含む、第１および第２のスクリーンに関連する何らかの構成で配置される。
【０１４３】
[00156]１つの実施形態では、物理的対象物は、部分的に透過型であり、それにより、物理的対象物の後方に表示された画像は、物理的対象物を通して見ることができる。別の実施形態では、物理的対象物は不透明である。物理的対象物は、対象物の後方に表示された画像を妨げ得るが、これらの画像は、少なくとも部分的に見ることができ、その理由は、対象物が、表示装置にわたって移動可能であり、または移動しており、および／またはサイズ的に小さいものになることができ、それにより、対象物の後方の画像の妨げられた部分は無視できるためである。
【０１４４】
[00157]１つの実施形態では、物理的対象物および２つまたはそれ以上の表示スクリーンの統合は、複合のまたは増倍された拡張現実（ＭＡＲ）を作り出し、この場合、デジタル化情報を表示する複合表示層は、１つまたは複数の物理的対象物の形態で提供された現実を拡張しおよび／または改変する。複合拡張現実のこの使用は、特に魅力的であり、その理由は、受け手に、実際の対象物を含む図が提示されるためである。受け手に対して、実際の対象物は、正常感または信用性をもたらすことができる。たとえば、本発明の実施形態の複合拡張現実表示装置は、アナログ速度計の一部分を含む物理的対象物を、物理的対象物に関連付けられ得るまたは関連付けられない追加のデジタル情報と共に含むことができる。受け手は、本質的に、拡張現実の現実側面を信用しており、その理由は、受け手はアナログ速度計に慣れているためである。それとは対照的に、受け手は、本質的に、デジタルの速度計を完全に信用してないことがあり、その理由は、これらが新しいため、またはソフトウェア誤作動による不具合の認識、または他の個人的理由を有し得るである。したがって、また物理的現実性により、受け手はまた、視覚的表示ユニットによってもたらされた全体的な、複合拡張現実に対するより高い信用性を評価し得る。
【０１４５】
[00158]図１１Ａは、本開示の１つの実施形態による、２つまたはそれ以上の表示装置間に置かれた物理的対象物の図である。図示されるように、視覚的表示ユニット１１００Ａは、第１のスクリーン１１１０および第２のスクリーン１１３０を含む。すでに説明されたように、視覚的表示ユニットは、対応する画像を表示するように各々構成された、２つまたはそれ以上の表示スクリーンから構成される。受け手によって見られるときの画像は、３次元空間内の３次元画像の知覚を作り出すように構成され、この場合、３Ｄ画像は、現実的および／または想像されるものになることができ、３Ｄ空間もまた、現実的および／または想像されるものになることができる。
【０１４６】
[00159]図１１Ａに示されるように、視覚的表示ユニット１１００Ａは、第１の焦点面内に第１のスクリーン１１１０（たとえば、表示装置、表示スクリーンなど）を含む。たとえば、第１の焦点面は、座標系１１０１内の平面として定義される。第１のスクリーン１１１０および第１の焦点面は、視線１１０５に関連して示される。たとえば、視線１１０５は、視覚的表示ユニット１１００Ａを見る際の受け手の視点を示すことができる。第１の焦点面は、視覚的表示ユニット１１００Ａの最前面画像を含むことができる。
【０１４７】
[00160]１つの実施形態では、第１のスクリーン１１１０は、第１の画像を表示する。たとえば、第１の画像は、ダイヤル１１０７を含む。１つまたは複数のマーキング１１０９が、ダイヤル１１０７上に置かれる。図示されるように、マーキング１１０９は、ダイヤル１１０７にわたって等しく離間され、尺度として使用され得る。たとえば、マーキングは、速度計内の増大する速度を示すことができる。
【０１４８】
[00161]図１１Ａに示されるように、視覚的表示ユニット１１００Ａは、第２の焦点面内に第２のスクリーン１１３０を含む。たとえば、第２の焦点面は、座標系１１０１内の平面として定義される。第２の焦点面１１３０は、第１の焦点面とは別個のものであり、それにより、２つの焦点面は、互いからずれる。多層型の表示ユニットは、他の実施形態において、２つまたはそれ以上の表示スクリーンを備えることができることに留意することが重要である。１つの実施形態では、第１のスクリーンは、最前面内に透過型表示装置を備え、第２のスクリーンは、不透明表示装置を備える。
【０１４９】
[00162]特に、視覚的表示ユニット１１００Ａ内では、第１のスクリーン１１１０および第２のスクリーン１１３０は、１つの実施形態において、多層表示ユニット内の構成要素である。したがって、第１の焦点面１１１０および第２の焦点面１１３０は、互いに対してほぼ平行である。また、１つの実施形態では、第２のスクリーン１１３０は、第１のスクリーン１１１０に部分的に重なる。他の実施形態では、２つのスクリーンは必ずしも重ならない。第１のスクリーン１１１０上に表示された第１の画像および第２のスクリーン１１３０上に表示された第２の画像は、１つの実施形態において、３次元画像の受け手に対する知覚を与えるように構成される。
【０１５０】
[00163]１つの実施形態では、第２のスクリーン１１３０は、第２の画像を表示する。たとえば、第２の画像は、１０単位の増分で１０から１５０まで増大する一連の数字１１３５を含む。加えて、第２の画像は、別のダイヤル１１３７を含む。第１の画像および第２の画像は、３次元画像の知覚を作り出すように構成される。すなわち、第２のスクリーンは、第１の画像の表示に応答して第２の画像を表示するように構成可能である。たとえば、第１および第２の画像は、速度計を作り出すように構成される。本出願を通して速度計画像の使用は、単に例示の目的のためである。したがって、視覚的表示ユニットは、本発明の実施形態によって支持された、任意の３次元画像を作り出すように構成可能である。たとえば、視覚的表示ユニットは、スロットマシーン、ピンボール機、物理的対象物がこの場合球形ボールである、ボール玉ゲーム機（たとえばパチンコなど）の表示装置などのゲームコンソールまたはシステムとして構成されてよい。
【０１５１】
[00164]図１１Ａに示されるように、物理的対象物１１２５は、第１のスクリーン１１１０と第２のスクリーン１１３０の間に配置される。たとえば、物理的対象物１１２５は、平面１１２０上に配置され、すなわち、第１の焦点面と第２の焦点面の間に少なくとも部分的に配置される。別の実施形態では、物理的対象物１１２５は、第１のスクリーン１１１０および第２のスクリーンの前に配置される。さらに別の実施形態では、物理的対象物１１２５は、第１のスクリーン１１１０および第２のスクリーン１１３０の両方の後方に配置される。
【０１５２】
[00165]例示の目的のみのために、物理的対象物１１２５は、枢動点１１２６の周りを枢動する針として示される。たとえば、物理的対象物１１２５とする針は、すでに説明された、第１の画像および第２の画像によって作り出された速度計内に含まれる。物理的対象物１１２５は、別のときには、保護ケースまたはハウジングなどの錯覚を作り出す中空シリンダの一部としての傾斜縁などを含むことができる。
【０１５３】
[00166]加えて、別の実施形態では、第１および第２の画像の少なくとも１つは、前記物理的対象物１１２５の配置に応答して表示される。すなわち、画像は、物理的対象物１１２５と相互作用する、またはこれを拡張するために表示される。たとえば、物理的対象物１１２５の配置に応答して表示された画像は、物理的対象物１１２５によって提示されたような現実性を拡張するために使用される。たとえば、物理的対象物１１２５と、第１のスクリーン１１１０および第２のスクリーン１１３０内に表示された画像との組み合わせは、改善された奥行き効果をもたらす。すなわち、複合層にわたって視線１１０５内により多くの情報を積層することにより、受け手は、作り出された３次元体積空間内において奥行きを容易に知覚することができる。
【０１５４】
[00167]図１１Ｂは、本開示の１つの実施形態による、ユーザの視線１１０５に沿って見るときの、図１１Ａに示されるような２つまたはそれ以上の表示装置間に置かれた物理的対象物１１２５の図である。図示されるように、視覚的表示ユニット１１００Ａは、受け手の視点をもたらす視線１１０５に沿って提示される。視覚的表示ユニット１１００Ａによって提示された全体画像は、速度計のダイヤル面と、速度を示す針とを組み合わせて提示する３次元画像である。すなわち、第１および第２の画像は、３次元速度計を作り出すように位置合わせされる。たとえば、ダイヤル面は、第１のスクリーン１１１０によって提供された外側ダイヤル１１０７を含む。ダイヤル面はまた、第２のスクリーンによって提供された内側ダイヤル１１３７およびスカラー数値１１３５を含む。したがって、第１のスクリーン１１１０および第２のスクリーン１１３０によって提供された第１および第２の画像は、組み合わされて３次元ダイヤル面を提示する。たとえば、数値１１３５は、ダイヤル１１０７上のマーキング１１０９と位置合わせされて速度計の画像を作り出す。加えて、針１１２５は、速度計画像内の中心に置かれて、点１１２６の周りを回転して速度読み取り値を示す。すなわち、第１および第２の画像の少なくとも１つは、（たとえば速度計を作り出すために）物理的対象物１１２５に応答して表示される。たとえば、針１１２６は、数字５０の近傍を指して、５０の近似速度を与える。
【０１５５】
[00168]図１１Ｃは、本開示の１つの実施形態による、奥行きの手がかりが除去された後、全体画像（たとえば図１１Ｂに示されるもの）の視覚的奥行きを保持しながら、図１１Ａに示されるような２つまたはそれ以上の表示装置間に置かれた物理的対象物１１２５の図である。すなわち、全体画像の奥行きは、奥行きの手がかりによって作り出されまたは改善され得る。たとえば、奥行きの手がかりは、第１のスクリーン１１１０上に表示されるような、第１の画像（たとえば、ダイヤル１１０７およびマーキング１１０９）になることができる。全体画像の奥行きが作り出されると、１つまたは複数の奥行きの手がかりは、全体画像の他の要素を保持しながら除去される。たとえば、第２のスクリーン１１３０上に表示された数値１１３５および内側ダイヤル１１３７は保持され、それと共に物理的対象物として針１１２５も保持され得る。したがって、速度計の全体画像、および速度計によって伝達される情報は、依然として受け手に提示される。加えて、受け手は、奥行きの手がかりまたはその複数の手がかりによって提供された、奥行きの改善された知覚を保持することができ、また、全体画像の一部分が除去された場合でも３次元速度計を知覚することができる。これは、明確性の目的を、および／または他の情報の導入を可能にすることができる。
【０１５６】
[00169]図１２Ａは、本開示の１つの実施形態による、物理的対象物に関連付けられた情報および物理的対象物に関連付けられない情報を含む、２つまたはそれ以上のディプレイ間に置かれた物理的対象物の図を示す。物理的対象物に関連付けられない情報の導入は、例示の目的のみのために、図１１Ａ〜Ｃ内に最初に導入された速度計および画像を用いて提示される。図１１Ａ〜Ｃと１２Ａ〜Ｂの間の同じ番号が付けられた要素は、同じように説明されるよう意図される。
【０１５７】
[00170]図示されるように、視覚的表示ユニット１２００Ａは、第１のスクリーン１１１０および第２のスクリーン１２３０を含み、この場合、視覚的表示ユニット１２００Ａは、対応する画像を表示するように各々構成される、２つまたはそれ以上の表示スクリーンから構成される。受け手によって見られるときの画像は、３次元体積空間内の３次元画像の知覚を作り出すように構成され、この場合、３Ｄ画像は、現実的および／または想像されるものになることができ、３Ｄ空間もまた、現実的および／または想像されるものになることができる。
【０１５８】
[00171]すでに説明されたように、視覚的表示ユニット１２００Ａは、速度計である３次元全体画像を生成する。３次元画像（たとえば速度計）は、座標系１２０１の第１の焦点面内に配置された第１のスクリーン１１１０上に表示された第１の画像から構成される。第１の画像は、ダイヤル１１０７を含み、１つまたは複数の増分的マーキング１１０９が、ダイヤル１１０７上に置かれる。加えて、第１の画像は、電話メッセージが人ＸＹＺから入っていることを示す通知１２７０を含む。３次元画像は、第１の焦点面とは別個である第２の焦点面上に配置された第２のスクリーン１１３０上に表示された第２の画像から構成され、それにより、２つの焦点面は、いくらかのずれを伴って互いに対してほぼ平行である。第２の画像は、内側ダイヤル１１３７と、１０単位の増分で１０から１５０まで増大し、受け手によって見られるとき、マーキング１１０９と位置合わせするように構成された、一連の数字１１３５とを含む。第１の画像および第２の画像は、速度計などの３次元画像の知覚を作り出すように構成される。加えて、物理的対象物１１２５が、第１のスクリーン１１１０と第２のスクリーン１１３０の間の、平面１１２０内などに配置され、すなわち、第１の焦点面と第２の焦点面の間に少なくとも部分的に配置される。
【０１５９】
[00172]１つの実施形態では、第２のスクリーン１１３０は、第１のスクリーン１１１０に部分的に重なる。他の実施形態では、２つのスクリーンは、必ずしも重ならない。視覚的表示ユニット１２００Ａユニットは、他の実施形態において、２つまたはそれ以上の表示スクリーンを備えることができる。特に、視覚的表示ユニット１２００Ａ内では、第１のスクリーン１１１０および第２のスクリーン１１３０は、１つの実施形態において、多層型表示ユニット内の構成要素である。
【０１６０】
[00173]速度計を形成する画像は、互いに関連付けられ、また、物理的対象物または針１１２５の配置および移動に関連付けられる。すなわち、速度計の全体的な３次元画像は、物理的対象物１１２５に関連して表示された、１つまたは複数の表示スクリーン上に表示された関連する画像から作り出される。１つの実施形態では、第１のスクリーン１１１０または第２のスクリーン１１３０上の画像の少なくとも１つは、物理的対象物の配置に応答して表示される。たとえば、画像は、物理的対象物１１２５に関連して表示されて３次元速度計を作り出す。
【０１６１】
[00174]別の実施形態では、第１のスクリーン１１１０または第２のスクリーン１１３０上の画像の少なくとも１つは、物理的対象物１１２５の移動に関連して動的に表示され得る。たとえば、速度計上の第２のスクリーン１１３０上の数値１１３５は、針が現在指しているところを示すように動的に改変され得る。すなわち、数字５０は、強調されて（たとえば、太字にされて、またはより大きいフォントで置かれて）、針が数字５０の近傍を指していることを示すことができる。加えて、第１のスクリーン１１１０上のダイヤル１１０７もまた、拡大されてよく、それによって、針が指しているところの速度計の部分に焦点を当てる拡大効果を作り出す。この場合、第１の画像および第２の画像は、物理的対象物１１２５の位置および／または位置に関連して表示される。
【０１６２】
[00175]第１および第２の画像は、別の実施形態において、物理的対象物の移動に応答して動的に生成される。たとえば、視覚的表示ユニットは、パンチコ機として構成されてよく、この場合、１つまたは複数のボール玉が、競技台表面にわたって移動し、穴に落下し、それによって点を生成する。ボールが動きまわるとき、対応するスクリーン上に表示された画像は、移動に反応することができる。たとえば、その移動が、遊ぶ人にとって有利な何かを示す場合、画像は、気持ちを高める全体画像（たとえば、２Ｄ、３Ｄなど）を示すことができる。他方で、その移動が、遊ぶ人にとって不利な何かを示す場合、画像は、残念な画像を示すことができる。いずれの場合も、画像は、物理的対象物の移動に反応して表示される。
【０１６３】
[00176]加えて、第１の画像の一部は、物理的対象物１１２５および／または第２の画像に関連付けられない。たとえば、通知１２７０は、受け手に対して、「人ＸＹＺから入電」と知らせる。したがって、通知は、３次元速度計によって提供された速度情報に関連付けられず、追加および別の情報を受け手に提供する。
【０１６４】
[00177]図１２Ｂは、本開示の１つの実施形態による、ユーザの視線（図示せず）に沿って見るときの、図１２Ａに示されるような２つまたはそれ以上の表示装置間に置かれた物理的対象物１１２５の図であり、この場合、３次元体積空間を生成するために使用される画像の少なくとも一部分は、物理的対象物に関連付けられず、および／または３次元体積空間内に作り出された全体的な３次元画像に関連付けられない。図示されるように、視覚的表示ユニット１２００Ａは、真っすぐに見るなどの、受け手の視点を提供する。
【０１６５】
[00178]視覚的表示ユニット１２００Ａによって提示された全体画像は、速度計のダイヤル面を提示する３次元画像と、速度を示す針とを含む。すなわち、第１および第２の画像は、組み合わされ、位置合わせされて３次元速度計を作り出し、この場合、ダイヤル面は、第１のスクリーン１１１０によって提供された外側ダイヤル１１０７を含み、また、第２のスクリーン１１３０によって提供された内側ダイヤル１１３７およびスカラー数値１１３５を含む。より具体的には、数値１１３５は、ダイヤル１１０７上のマーキング１１０９と位置合わせされて、速度計の画像を作り出し、物理的対象物１１２５（たとえば針）は、速度計画像内の中心に置かれ、回転して速度読み取り値を示す。
【０１６６】
[00179]加えて、視覚的表示ユニット１２００Ａによって提示された全体画像は、他の情報（たとえば３次元速度計）に関連付けられない他の情報を含む。すなわち、視覚的表示ユニット１２００Ａは、２つまたはそれ以上の別個の情報を表示することができる。図示されるように、視覚的表示ユニット１２００Ａは、速度計と連動して表示される通知１２７０を含む。１つの実施形態では、異なる情報は重ねられず、それにより、通知１２７０は、速度計との重なりが存在しないように表示され得る。このようにして、受け手は、画像からのいかなる干渉もなく、両方の情報を見ることができる。
【０１６７】
[00180]別の実施形態では、非関連の別の情報は、視覚的表示ユニット内に表示されるとき、重ねられる。たとえば、図１３Ａは、本開示の１つの実施形態による、物理的対象物に関連付けられた情報を有する１つの表示装置と、物理的対象物部に非関連の情報を有する第２の表示装置とを含む２つまたはそれ以上の表示装置間に置かれた物理的対象物の図である。
【０１６８】
[00181]図示されるように、視覚的表示ユニット１３００Ａは、第１のスクリーン１３１０および第２のスクリーン１３３０を含み、この場合、視覚的表示ユニット１３００Ａは、対応する画像を表示するように各々構成された、２つまたはそれ以上の表示スクリーンから構成される。受け手によって見られるときの画像は、３次元空間内の３次元画像の知覚を作り出すように構成され、この場合、３Ｄ画像は、現実的および／または想像されるものになることができ、３Ｄ空間もまた、現実的および／または想像されるものになることができる。
【０１６９】
[00182]視覚的表示ユニット１３００Ａは、座標系１３０１の第１の焦点面上に配置された第１のスクリーン１３１０を含む。第１のスクリーン１３１０は、人ＸＹＺから入電していることを受け手に知らせる、通知１３０５を含む第１の画像を表示する。
【０１７０】
[00183]加えて、視覚的表示ユニット１３００Ａは、３次元画像を生成する。例示の目的のために、図１３Ａに示されるように、３次元画像は、速度計である。３次元画像（たとえば速度計）は、座標系１３０１の第２の焦点面内に配置された第２のスクリーン１２３０上に表示された第２の画像から構成される。第２の焦点面は、第１の焦点面とは別個のものであり、それにより、２つの焦点面は、いくらかのずれを伴って互いに対してほぼ平行である。第２の画像は、内側ダイヤル１３３７と、速度を示すスケールに使用されるものなどの、１０単位の増分で１０から１５０まで増大する一連の数字１３３５とを含む。加えて、物理的対象物１３２５が、第１のスクリーン１３１０と第２のスクリーン１３３０の間の、平面１３２０内などに配置され、すなわち、第１の焦点面と第２の焦点面の間に少なくとも部分的に配置される。その結果、第２の表示装置１３３０上の第２の画像は、物理的対象物１３２５に関連して表示されて、受け手によって見られるとき、３次元速度計を提供する。速度計の改善された図はまた、すでに説明されたように、奥行きの手がかりを少なくとも短時間使用することによって提供され得る。この場合、受け手は、奥行きの手がかりが除去された場合であっても、３次元の全体画像においてより深い奥行きを知覚することができる。
【０１７１】
[00184]図１３Ｂは、本開示の１つの実施形態による、ユーザの視線に沿って見るときの、図１３Ａに示されるような２つまたはそれ以上の表示装置間に置かれた物理的対象物の図であり、この場合、３次元体積空間内に作り出された全体的な３次元画像を見る際、異なるおよび非関連の情報が、少なくとも部分的に重ねられる。図示されるように、視覚的表示ユニット１３００Ａは、真っすぐに見るなど、受け手の視点を提供する。
【０１７２】
[00185]視覚的表示ユニット１３００Ａによって提示された全体画像は、速度計のダイヤル面を提示する３次元画像と、速度を示す針とを含む。すなわち、第２の表示装置の第２の画像の内側ダイヤル１３３７および数値１３３５ならびに位置合わせされた物理的対象物１３２５は、組み合わされ、位置合わせされて、速度読み取り値を与える３次元速度計を作り出す。
【０１７３】
[00186]加えて、視覚的表示ユニット１３００Ａによって提示された全体画像は、他の情報（たとえば３次元速度計）に関連付けられない他の情報を含む。すなわち、視覚的表示ユニット１３００Ａは、速度計に連動して表示される通知１３７０を含む。１つの実施形態では、異なる情報は少なくとも部分的に重ねられ、それにより、通知１３７０は、速度計の一部と重なることができる。この場合、速度計は、不鮮明にするまたはサイズを変更することによって強調が抑えられて、受け手が、より緊急の通知メッセージ１３７０に焦点を当てることを可能にすることができる。このようにして、受け手は、干渉なしに、両方の情報を見ることができる。
【０１７４】
[00187]図１４Ａは、本開示の１つの実施形態による、複数の情報が異なる層内に各々別々に表示されるような、２つまたはそれ以上の表示装置間に配置された物理的対象物の図である。より具体的には、視覚的表示ユニット１４００Ａは、対応する層において各々が表示可能であるさまざまな情報を含み、この場合、これらの情報は、表示されたときに互いから分離される。
【０１７５】
[00188]図示されるように、視覚的表示ユニット１４００Ａは、第１のスクリーン１４１０および第２のスクリーン１４３０を含む。すでに説明されたように、視覚的表示ユニットは、対応する画像を表示するように各々構成された、２つまたはそれ以上の表示スクリーンから構成される。図１４Ａに提供された例では、各々の表示スクリーンは、１つの実施形態において、異なる非関連の画像を表示するように構成される。他の実施形態では、表示スクリーンは、すでに説明されたように関連する情報を表示することができる。受け手によって見られるときの画像は、３次元空間内の３次元の積層された画像の知覚を作り出すように構成され、この場合、３Ｄ画像は、現実的および／または想像されるものになることができ、３Ｄ空間もまた、現実的および／または想像されるものになることができる。すなわち、受け手は、図１４Ａに示されるように、異なる物理層において異なる情報を見ることができる。
【０１７６】
[00189]より具体的には、視覚的表示ユニット１４００Ａは、座標系１４０１内に定義されるものなどの第１の焦点面内に第１のスクリーン１４１０を含む。第１の焦点面は、視覚的表示ユニット１４００Ａの最前面の画像を含むことができる。
【０１７７】
[00190]１つの実施形態では、第１のスクリーン１４１０は、第１の画像を表示する。たとえば、第１の画像は、電池消費指示器１４１５を含む。特に、画像は、電池の残存寿命に関して受け手に情報を提供する。視覚的表示ユニット１４００Ａのような車両表示装置の例に従うと、電池指示器１４１５は、電気またはハイブリッド車両の電池寿命に関連付けられてよく、電池システムが５０パーセントを上回る電池寿命を有することを示す。
【０１７８】
[00191]図１４Ａに示されるように、視覚的表示ユニット１４００Ａは、第１の焦点面とは別個である第２の焦点面上の第２のスクリーン１４３０を含み、それにより、２つの焦点面は、互いからずれる。多層型表示ユニット１４００Ａが、他の実施形態において、２つまたはそれ以上の表示スクリーンを備えることができることに留意することが重要である。１つの実施形態では、視覚的表示ユニット１４００は、多層型表示ユニット内の構成要素である第１のスクリーン１４１０および第２のスクリーン１４３０を備えることができる。したがって、第１の焦点面１１１０および第２の焦点面１１３０は、互いに対してほぼ平行である。また、１つの実施形態では、第２のスクリーン１４３０は、第１のスクリーン１４１０に部分的に重なる。他の実施形態では、２つのスクリーンは、必ずしも重ならない。
【０１７９】
[00192]１つの実施形態では、第２のスクリーン１４３０は、第２の画像を表示する。たとえば、第２の画像は、人のレンダリングビデオストリームまたは人もしくは文字の何らかの他の視覚的表現でよい。第２の画像は、受け手と、第２のスクリーン１４３０上の第２の画像内に表示された人との間で行われるビデオ会議と連動して設けられてよい。
【０１８０】
[00193]加えて、第２のスクリーン１４３０は、垂直分離板１４４０Ａおよび１４４０Ｂを含む。これらの垂直線は、受け手によって見られるとき、視覚的表示ユニット１４００Ａの３つの異なる領域を区別し、分離することを助ける。
【０１８１】
[00194]図１４Ａにさらに示されるように、物理的対象物１４２５が、第１のスクリーン１４１０と第２のスクリーン１４３０の間に配置される。たとえば、物理的対象物１４２５は、平面１４２０上に配置され、すなわち、第１の焦点面と第２の焦点面の間に少なくとも部分的に配置される。別の実施形態では、物理的対象物１４２５は、第１のスクリーン１４１０および第２のスクリーン１４３０の前に配置される。さらに別の実施形態では、物理的対象物１４２５は、第１のスクリーン１４１０および第２のスクリーン１４３０両方の後方に配置される。
【０１８２】
[00195]図１４Ａに示されるように、物理的対象物は、ハウジング、ダイヤル表示装置、速度を表示する数値およびマーキングを含む速度計を備える。１つの実施形態では、物理的対象物は、３次元である。別の実施形態では、物理的対象物は、２次元である。
【０１８３】
[00196]図１４Ｂは、本開示の１つの実施形態による、各々の情報が他の情報から分離されるような、受け手の視線（図示されず）に沿った、図１４Ａに示されるような２つまたはそれ以上の表示装置間に置かれた物理的対象物１４２５の図である。図示されるように、３次元体積空間内に情報を積層することによって作り出された全体的な３次元画像を見る際、異なる非関連の情報は、重ならない。図示されるように、視覚的表示ユニット１４００Ａは、真っすぐに見るなど、受け手の視点を提供する。
【０１８４】
[00197]視覚的表示ユニット１４００Ａによって提示される全体画像は、３セクション、すなわち第１のセクション１４３１、第２のセクション１４３２、および第３のセクション１４３３に分離される。第１のセクション１４３１は、電池消費指示器１４１５の画像を含む。第２のセクション１４３２は、物理的対象物または速度計１４２５を含む。第３のセクション１４３３は、ビデオ会議に参加する人のビデオストリーム１４３５を含む。図示されるように、３つの異なるセクションは、互いから分離された対象物および／または画像を含む。このようにして、異なる情報は、重ならず、各々の情報を妨げることなく受け手に見せる。
【０１８５】
[00198]図１４Ｃは、本開示の１つの実施形態による、各々の情報が他の情報から分離されるような、受け手の視線（図示されず）に沿った、図１４Ａに示されるような２つまたはそれ以上の表示装置間に置かれるが、図１４Ｂに示されるものとは異なる配置を有する、物理的対象物１４２５の図である。すなわち、ある時間には、視覚的表示ユニット１４００Ａは、１つの構成（たとえば、図１４Ｂに見出される構成）を有することができるが、別の時間には、視覚的表示ユニット１４００Ａは、異なる構成（たとえば、図１４Ｃに見出された構成）を有することができる。したがって、視覚的表示ユニットは、各々のセクション１４３１、１４３２、および１４３３に関連付けられた画像および対象物の順序を再構成することができる。
【０１８６】
[00199]たとえば、図１４Ｃに示されるように、視覚的表示ユニット１４００Ａによって提示された全体画像は、第１のセクション１４３１内に物理的対象物または速度計１４２５を含む。すなわち、物理的対象物１４２５は、受け手によって見られるとき、他の画像に関連して移動されて第１のセクション１４３１内に示される。第２のセクション１４３２は、ビデオ会議に出席している人のビデオストリーム１４３５を含む。すなわち、第２のスクリーン１４３０は、ビデオストリーム１４３５の画像を、図１４Ａ〜Ｂに示されるように第３のセクション１４３３の代わりに、図１４Ｃに示されるように第１のセクション１４３１内に表示するように構成される。第３のセクション１４３３は、電池消費指示器１４１５の画像を含む。すなわち、第１のスクリーン１４１０は、電池消費指示器１４１５の画像を、（図１４Ａ〜Ｂに示されるように）第１のセクション１４３１の代わりに、（図１４Ｃに示されるように）第３のセクション１４３３内に表示するように構成される。
【０１８７】
[00200]図１４Ｄは、本開示の１つの実施形態による、各々の情報が他の情報から分離されるような、受け手の視線に沿った、図１４Ａに示されるような２つまたはそれ以上の表示装置間に置かれる物理的対象物（たとえば、対象物１４２５）であるが、物理的対象物は表示装置から除去されている、図である。すなわち、受け手は、あるときは、電池消費指示器１４１５が第１のセクション１４３１内にあり、ビデオ会議１４３５内の人のビデオストリームが第３のセクション１４３３内にある状態で、図１４Ｂに表示されるように全体画像を見ている。物理的な速度計１４２５が、第２のセクション１４３２内に配置される。その後などの異なるときには、物理的対象物１４２５は、受け手によって見られるとき、全体画像から除去される。置き換え画像が、１つの実施形態において、物理的対象物１４２５の代わりになる。また、他の実施形態では、置き換え画像は生成されなくてもよく、それにより、１つのセクションは空のままであり、または他の２つのセクションは、いかなる空隙も有さずに全体画像を満たすように拡張される。
【０１８８】
[00201]たとえば、図１４Ｄに示されるように、視覚的表示ユニット１４００Ａによって提示された全体画像は、第１のセクション１４３１内に電池消費指示器１４１５と、第３のセクション１４３３内に、ビデオ会議に出席している人のビデオストリーム１４３５とを含む。加えて、中間または第２のセクション１４３２は、このとき、ユーザの位置１４９０にしたがって継続的に更新される全地球測位衛星（ＧＰＳ）に支援されたマップなどのマップ１４４０の新しい画像を表示する。
【０１８９】
[00202]図１５は、本開示の１つの実施形態による、物理的対象物を、２つまたはそれ以上の表示スクリーンを有する多層型表示装置によって画定された３次元体積空間内に組み入れるための方法を示す流れ図１５００である。
【０１９０】
[00203]１５１０において、方法は、第１のスクリーンを視覚的表示ユニットの第１の焦点面内に提供するステップを含み、前記第１のスクリーンは第１の画像を表示する。１５２０において、方法は、第２のスクリーンを視覚的表示ユニットの第２の焦点面内に提供するステップを含み、前記第２のスクリーンは、第２の画像を表示する。焦点面は、別個のものであり、それにより、２つの焦点面上の画像は、画像が中に投影される３次元体積空間をもたらす。１つの実施形態では、画像は、受け手によって見られるとき、奥行き、現実性、および改善された全体画像をもたらすように表示される。
【０１９１】
[00204]１つの実施形態では、視覚的表示ユニットは、対応する画像を各々が表示する２つまたはそれ以上のスクリーンを備える。スクリーンの１つまたは複数は、少なくとも部分的に透過型である。このようにして、後方スクリーンからの画像は、少なくとも１つまたは複数の部分的に透過型の前方スクリーンを通して見ることができる。さらに、１つ実施形態では、第１のスクリーンおよび第２のスクリーンは、部分的に重なる。
【０１９２】
[00205]１５３０において、方法は、第１の画像および第２画像を関連付けることによって３次元体積空間を作り出すことを含む。このようにして、２つのスクリーン上の画像は、互いに相互作用して改善された３次元効果を受け手に与えるように構成可能である。別の実施形態では、第１のスクリーンおよび第２のスクリーンは、重ならない。２つのスクリーン上の画像は、表示装置スクリーンが異なる焦点面上に位置することにより、３次元効果を受け手に与える。しかし、画像は、必ずしも互いに相互作用しなくてよく、互いから独立した画像を提供することができる。
【０１９３】
[00206]１５３０において、方法は、物理的対象物を３次元体積空間周りに挿入することを含み、この場合、第１および第２の画像の少なくとも１つは、物理的対象物に関連して、またはこれと連動して表示される。たとえば、第１および第２の画像の少なくとも１つは、物理的対象物の存在と相互作用する、物理的対象物の配置と相互作用する、物理的対象物の移動と相互作用する、物理的対象物の消滅と相互作用するなど、物理的対象物の何らかの側面と相互作用することができ、および／または物理的対象物のさまざまな他の局面と相互作用することができる。
【０１９４】
[00207]物理的対象物は、３次元体積空間の周りに配置される。たとえば、１つの実施形態では、物理的対象物は、第１および第２のスクリーンの前に配置され、この場合、前記第１および第２の画像の少なくとも１つは、前記物理的対象物に関連して表示される。他の実施形態では、物理的対象物は、第１と第２のスクリーンの間に配置され、このとき１つまたは複数の追加のスクリーンは、スクリーンの後方、スクリーン間、スクリーンの前、またはその何らかの組み合わせを含む第１および第２のスクリーンに関連する何らかの構成で配置される。別の実施形態では、物理的対象物は、第１および第２のスクリーンの後方に配置される。さらに他の実施形態では、１つまたは複数の追加のスクリーンは、物理的対象物の前または後方に配置され得る。
【０１９５】
[00208]したがって、本開示の実施形態によれば、システムおよび方法は、遠隔ワークステーションに配置された代理店の人によって実施される（human implemented）ビデオ認証を含む、ビデオ対応（video enabled）２要素認証をもたらすように説明される。
【０１９６】
[00209]前述の開示は、特有のブロック図、流れ図、および例を使用してさまざまな実施形態を記載するが、各々のブロック図の構成要素、流れ図ステップ、作動、および／または本明細書において説明されるおよび／または例示される構成要素は、個々におよび／または集合的に、幅広い範囲のハードウェア、ソフトウェア、またはファームウェア（またはその任意の組み合わせ）構成を使用して実装され得る。加えて、他の構成要素内に含まれる構成要素のいかなる開示も、数多くの他の構造が同じ機能を達成するために実装され得るという理由のため、例として考えられなければならない。
【０１９７】
[00210]本明細書において説明されるおよび／または例示されるプロセスパラメータおよびステップの順序は、例としてのみ与えられ、所望に応じて変更され得る。たとえば、本明細書において例示されるおよび／または説明されるステップは、特定の順番で示されまたは論じられ得るが、これらのステップは、必ずしも、例示されるまたは論じられる順序で実行される必要はない。本明細書において説明されるおよび／または例示されるさまざまな例となる方法はまた、本明細書において説明されるおよび／または例示されるステップの１つまたは複数を省いてもよく、または開示されたこれらに追加して追加のステップを含んでもよい。
【０１９８】
[00211]さまざまな実施形態が、フル機能コンピューティングシステムの文脈で本明細書において説明されおよび／または例示されてきたが、これらの例となる実施形態の１つまたは複数が、配布を実際に実施するために使用されるコンピュータ可読媒体の具体的なタイプに関係なく、多様な形態でプログラム製品として配布され得る。本明細書において開示される実施形態はまた、特定のタスクを実行するソフトウェアモジュールを使用して実装されてもよい。これらのソフトウェアモジュールは、コンピュータ可読記憶媒体上またはコンピューティングシステム内に記憶され得る、スクリプト、バッチ、または他の実行可能なファイルを含むことができる。これらのソフトウェアモジュールは、本明細書において開示される例となる実施形態の１つまたは複数を実行するようにコンピューティングシステムを構成することができる。本明細書において開示されるソフトウェアモジュールの１つまたは複数は、クラウドコンピューティング環境内に実装され得る。クラウドコンピューティング環境は、インターネットを介してさまざまなサービスおよびアプリケーションを提供することができる。これらのクラウドベースのサービス（たとえば、サービスとしてのソフトウェア、サービスとしてのプラットフォーム、サービスとしてのインフラストラクチャなど）が、ウェブブラウザまたは他の遠隔インターフェースを介してアクセス可能になり得る。本明細書において説明されるさまざまな機能は、遠隔ディスクトップ環境、または任意の他のクラウドベースのコンピューティング環境を介して提供され得る。
【０１９９】
[00212]前述の説明は、説明の目的のために、特有の実施形態を参照して説明されてきた。しかし、上記の例示となる論議は、網羅的である、または本発明を開示された正確な形態に限定するようには意図されない。数多くの改変形態および変形形態が、上記の教示を鑑みて可能である。実施形態は、本発明の原理およびその実用的適用を最適に説明するために選択され、説明されており、それによって、当業者が、本発明、ならびに企図された特定の使用に適合され得るようなさまざまな改変形態を有するさまざまな実施形態を最適に利用することを可能にする。
【０２００】
[00213]本開示による実施形態は、こうして説明される。本開示は、特定の実施形態において説明されてきたが、本開示は、そのような実施形態によって限定されるように解釈されてはならず、以下の特許請求の範囲にしたがって解釈されなければならないことを理解されたい。
【図１】
2017513044.tif 000022
【図２】
2017513044.tif 000023
【図３】
2017513044.tif 000024
【図４】
2017513044.tif 000025
【図５】
2017513044.tif 000026
【図６】
2017513044.tif 000027
【図７】
2017513044.tif 000028
【図８】
2017513044.tif 000029
【図９】
2017513044.tif 000030
【図１０】
2017513044.tif 000031
【図１１Ａ】
2017513044.tif 000032
【図１１Ｂ】
2017513044.tif 000033
【図１１Ｃ】
2017513044.tif 000034
【図１２Ａ】
2017513044.tif 000035
【図１２Ｂ】
2017513044.tif 000036
【図１３Ａ】
2017513044.tif 000037
【図１３Ｂ】
2017513044.tif 000038
【図１４Ａ】
2017513044.tif 000039
【図１４Ｂ】
2017513044.tif 000040
【図１４Ｃ】
2017513044.tif 000041
【図１４Ｄ】
2017513044.tif 000042
【図１５】
2017513044.tif 000043
【国際調査報告】
2017513044.tif 000044
2017513044.tif 000045
2017513044.tif 000046